(57)【要約】      （修正有）【課題】容易にヒールを取り換え可能であるハイヒールを提供する。【解決手段】靴底２には第一取付溝３が設けられ、第一取付溝内には転動可能に第一係合部４が設けられ、第一係合部と第一取付溝の間には第一係接バネ５が設けられ、第一係合部に対応する第一取付溝に操作孔６が設けられ、靴底の一面の対応位置におけるヒール７には第一係合部に対応する第一係接溝８が設けられ、ヒールの上部には第二取付溝９が設けられ、第二取付溝内には遊動可能に第二係合部１０が設けられ、第二係合部と第二取付溝の間には第二係接バネ１１が設けられ、第二係合部に対する靴底の表面にはくぼみ状の第二係接溝１２が設けられている。操作孔を通して、第一係合部を押圧し、同時に第二係合部を操作し、靴底からヒールを分離することができ、直ちに別のタイプの好みのヒールに取り換えることができるため、省力的で、操作が簡単であり、散歩、買物、出勤、宴会への参加などの異なる場合で使用可能なヒールを取り換えることができる。【選択図】図１
0003203741.tif 000002
【実用新案登録請求の範囲】
【請求項１】
つま革を含み、
前記つま革には、靴底が連接固定されており、
前記靴底におけるヒールの位置には、第一取付溝が設けられ、
前記第一取付溝内には、転動可能に第一係合部が設けられ、
前記第一係合部の一端が前記靴底の外側にまで延伸し、
前記第一係合部の他端と前記第一取付溝の底部の内壁間には、第一係接バネが設けられ、
前記つま革に近接し、その一側面の前記第一取付溝の溝壁には、操作孔が貫通して設けられ、
前記操作孔は、前記第一係合部と前記第一係接バネに対応して設けられており、
さらに、ヒールを含み、
前記靴底の一面の取付位置に対応して設けられている前記ヒールには、前記第一係合部に対応する第一係接溝が設けられ、
前記ヒールの上部には、前記第一係接溝の一端に第二取付溝が設けられ、
前記第二取付溝内には、遊動可能に第二係合部が設けられ、
前記第二係合部と前記第二取付溝の間には、第二係接バネが設けられ、
前記第二係合部に対する前記靴底の表面には、くぼみ状の第二係接溝が設けられていること、を特徴とする容易にヒールを取り換え可能であるハイヒール。
【請求項２】
前記靴底外側の前記第一係合部の端部にまで延伸して、係合爪が設けられ、
前記係合爪の端面が、三角形構造として設置されていること、を特徴とする請求項１に記載の容易にヒールを取り換え可能であるハイヒール。
【請求項３】
前記操作孔に対応する前記第一係合部の表面には、突状の操作押ボタンが設けられていること、を特徴とする請求項２に記載の容易にヒールを取り換え可能であるハイヒール。
【請求項４】
前記第二係合部は、第二取付溝内に設けられる間隔板を含み、
前記第二係接バネは、前記間隔板と前記第二取付溝の間に設けられており、
前記第二係接溝に対する前記間隔板の端部には、突状の挿接板が設けられており、
前記間隔板の表面には突状の操作柄が設けられており、
前記操作柄は、前記第二取付溝の外部にまで延伸していること、を特徴とする請求項１に記載の容易にヒールを取り換え可能であるハイヒール。
【考案の詳細な説明】
【技術分野】
【０００１】
本考案は、日用品の技術領域に関し、特に容易にヒールを取り換えることができるハイヒールに関する。
【背景技術】
【０００２】
現在、市場に現れているハイヒールは、ヒールの太さによって太いヒールと細いヒールに分かれており、ヒールと靴体との接合方式にしたがってウェッジヒールと分離ヒールに分けられており、ウェッジヒールは左右のヒールが一対となっている。その中で、太いヒールのウェッジヒールは比較的履き心地が良いが、輪郭線が優美ではない。若い女性は皆、細いヒールのハイヒールを選ぶ。細いヒールのハイヒールは、輪郭線は優美であるが、ヒール底面の面積は小さく、人の通常の歩行時や起立時に、身体の全ての重量が小さい底面のヒールに集中してしまう。そのため、細いヒールのハイヒールは、足弓を保護することができず、また、足部の筋肉や人体の損傷を引き起こしやすく、足及び腰部に痛みを生じさせ、さらに、生理上、足弓の破損を生じさせ、歩行時に不安定であり、捻挫しやすい等の副作用さえ存在する。
【考案の概要】
【考案が解決しようとする課題】
【０００３】
これにより、そのようなヒールの全ては靴体に一体に固設されており、一旦、製作が完成した後には、分離することができず、そのため、異なる色のヒールが存在せず、デザインは単一であり、ヒールの形状を取り換えること及びその太さを切り替えることはできないという欠点及び不充分な点が存在している。
【０００４】
本考案は、上記技術問題の解決に、簡単で省力の操作で容易にヒールを取り換え可能なハイヒールを提供するものである。
【課題を解決するための手段】
【０００５】
上記技術問題を解決するために、本考案は、容易にヒールを取り換え可能なハイヒールであり、つま革を含み、前記つま革には、靴底が連接固定されている。前記靴底におけるヒールの位置には、第一取付溝が設けられ、前記第一取付溝内には、転動可能に第一係合部が設けられ、前記第一係合部の一端が前記靴底の外側にまで延伸し、前記第一係合部の他端と前記第一取付溝の底部の内壁間には、第一係接バネが設けられ、前記つま革に近接し、その一側面の前記第一取付溝の溝壁には、操作孔が貫通して設けられ、前記操作孔は、前記第一係合部と前記第一係接バネに対応して設けられており、さらに、ヒールを含み、前記靴底の一面の取付位置に対応して設けられている前記ヒールには、前記第一係合部に対応する第一係接溝が設けられ、前記ヒールの上部には、前記第一係接溝の一端に第二取付溝が設けられ、前記第二取付溝内には、遊動可能に第二係合部が設けられ、前記第二係合部と前記第二取付溝の間には、第二係接バネが設けられ、前記第二係合部に対する前記靴底の表面には、くぼみ状の第二係接溝が設けられているものである。
【０００６】
また、優れた技術として、前記靴底外側の前記第一係合部の端部にまで延伸して、係合爪が設けられ、前記係合爪の端面が、三角形構造として設置されているものである。
【０００７】
また、優れた技術として、前記操作孔に対応する前記第一係合部の表面には、突状の操作押ボタンが設けられているものである。
【０００８】
また、上記優れた技術の改良として、前記第二係合部は、第二取付溝内に設けられる間隔板を含み、前記第二係接バネは、前記間隔板と前記第二取付溝の間に設けられており、前記第二係接溝に対する前記間隔板の端部には、突状の挿接板が設けられており、前記間隔板の表面には突状の操作柄が設けられており、前記操作柄は、前記第二取付溝の外部にまで延伸しているものである。
【考案の効果】
【０００９】
上記技術である「容易にヒールを取り換え可能なハイヒールであり、つま革を含み、前記つま革には、靴底が連接固定されている。前記靴底におけるヒールの位置には、第一取付溝が設けられ、前記第一取付溝内には、転動可能に第一係合部が設けられ、前記第一係合部の一端が前記靴底の外側に延伸し、前記第一係合部の他端と前記第一取付溝の底部の内壁間には、第一係接バネが設けられ、前記つま革に近接し、その一側面の前記第一取付溝の溝壁には、操作孔が貫通して設けられ、前記操作孔は、前記第一係合部と前記第一係接バネに対応して設けられており、さらに、ヒールを含み、前記靴底の一面の取付位置に対応して設けられている前記ヒールには、前記第一係合部に対応する第一係接溝が設けられ、前記ヒールの上部には、前記第一係接溝の一端に第二取付溝が設けられ、前記第二取付溝内には、遊動可能に第二係合部が設けられ、前記第二係合部と前記第二取付溝の間には、第二係接バネが設けられ、前記第二係合部に対する前記靴底の表面には、くぼみ状の第二係接溝が設けられているもの」を採用することによる、本考案の有益な効果は次のとおりである。すなわち、操作孔を通して、第一係合部を押圧し、同時に第二係合部を操作し、靴底からヒールを分離することができ、直ちに別のタイプの好みのヒールに取り換えることができる。そのため、省力的で、操作が簡単であり、散歩、買物、出勤、宴会への参加などの異なる場合において使用可能な「ヒールを取り換え可能である靴」により、一足の靴で満足を得ることができ、使用をする上で大変便利である。
【図面の簡単な説明】
【００１０】
【図１】本考案の実施例の構造図である。
【図２】本考案の実施例のヒールの後面図である。
【図３】本考案の実施例の第一係合部の構造図である。
【図４】本考案の実施例の第二係合部の構造図である。
【考案を実施するための形態】
【００１１】
以下に、図面と実施例に基づき、本考案に関して詳述する。下記の詳細な説明は、本考案の実施例の例示を示したものにすぎない。本領域の通常の技術者が理解することができ、本考案の精神と範囲の下、説明した実施例を各種の異なる手法で修正することができることは当然である。それゆえ、図面と叙述は、本質の説明をしたものであり、実用新案登録請求の範囲を制限するものではない。
【００１２】
図１及び図２に示すように、容易にヒールを取り換え可能なハイヒールは、つま革１を含み、前記つま革１に接続して、靴底２が固定されている。前記靴底２のヒール７の位置には、第一取付溝３が設けられており、前記第一取付溝３内には、転動可能に第一係合部４が取り付けられている。前記第一係合部４の固定の便に資するため、前記第一取付溝３の溝口の箇所に、第一押圧板が補助的に固定されている。前記第一係合部４の一端は、前記靴底２の外側にまで延伸し、前記第一係合部４の他の一端と前記第一取付溝３の底部の内壁間には第一係接バネ５が設けられている。前記つま革１に近接し、その一側面の前記第一取付溝３の溝壁に操作孔６が貫通して設けられており、前記操作孔６は、前記第一係合部４と前記第一係接バネ５に対応して設けられている。また、ヒール７を含み、前記靴底２の一面の取付位置に対応して設けられている前記ヒール７には、前記第一係合部４に対応する第一係接溝８が設けられている。前記ヒール７の上部には、前記第一係接溝８の一端に第二取付溝９が設けられており、前記第二取付溝９内には、遊動可能に第二係合部１０が設けられている。前記第二係合部１０と前記第二取付溝９の間には、第二係接バネ１１が設けられている。前記第二係合部１０の取付固定の便に資するため、前記第二取付溝９の溝口の箇所に、第二押圧板１５が補助的に固定されており、前記第二係合部１０に対する前記靴底２の表面には、くぼみ状の第二係接溝１２が設けられている。
【００１３】
図１と図３に示すように、本実施例において、前記靴底２の外側に延伸している第一係合部４の端部には、係合爪１３が設けられている。前記係合爪１３の端面は、三角形構造をなして設けられており、対応する前記第一係接溝８の端面も三角形構造をなして設けられ、前記第一係合部４の係接固定がなされている。前記操作孔６に対する前記第一係合部４の表面には、突状の操作押ボタン１４が設けられており、ドライバーなどの細長部材を利用し、前記操作孔６を通して、前記操作押ボタン１４を押すことができる。
【００１４】
図１と図４に示すように、前記第二係合部１０は、前記第二取付溝９内に設けられている間隔板１０１を含み、前記間隔板１０１と前記第二取付溝９との間には、前記第二係接バネ１１が設けられている。前記第二係接溝１２に対する前記間隔板１０１の端部には、突状の挿接板１０２が設けられ、前記挿接板１０２は階段構造をなして設置することができる。前記間隔板１０１の表面には、操作柄１０３設けられ、前記操作柄１０３は前記第二取付溝９の外部にまで延伸している。
【００１５】
更に、ヒール７の交換時において、一方の手を用い、細長部材で前記操作孔６を通して、操作押ボタン１４を押圧すると、前記第一係接バネ５が圧縮され、前記靴底２の外側に延伸した前記係合爪１３が、前記第一取付溝３の内部に収納されることにより、ヒール７の係接が解放される。そして、他方の手で、前記操作柄１０３を前記ヒール７の内側に押すことで、前記間隔板１０１が前記第係接バネ１１を圧縮し、前記挿接板１０２が前記第二取付溝９の内部に収納されて、靴底２の係接が解放されることにより、ヒール７の分解動作が完了する。ヒール７の装着を行う際には、前記靴底２から突出する係合爪１３を、前記ヒール７に凹状に形成されている前記第一係接溝８に正確に合わせ、前記ヒール７に向かい合わせる。同時に、ヒール７の前記操作柄１０３を用いて、突状の前記挿接板１０２を、前記靴底２上内のくぼみ状に形成された第二係接溝１２に正確に合わせる。前記第一係合部４において、「カチッ」という音が聞こえた後、前記第二係合部１０を放すことで、前記ヒール７の取り付け操作が完了する。
【００１６】
本考案の実施後、女性たちは、異なる場合と需要に応じて、負担の少ない太さと形状のヒールに履き替えることが可能となる。宴会、パーティー、デート等重要な場合及び正式な場合には、美感に優れた細いヒールを選択することができ、出勤帰宅中、出張、及び旅行、食品売場で食料品を購入する場合さえも、履きやすく、履き心地が良い四角形状の太ヒールを選択することができ、不必要な足部の損傷を減少し、場合の要求に合わせて服装を組み合わせることによる満足を得られる。同時に、一日中、細いヒールを履いていることに起因する足部の痛みを回避緩和し、太いヒールの使いやすさを享受することができ、同意に、歩行速度を向上させ、時間と金銭を節約することができる。
【００１７】
以上、本考案の基本原理、主要特徴及び優れた点に関して、明示、説明した。本業界の技術者は、本考案が上記実施例の制限を受けることがなく、上記実施例と明細書中の説明は、本考案の原理を説明したものにすぎないことを理解すべきである。本考案の精紳と範囲を逸脱しない前提の下、本考案は、各種の変化及び改良をすることができ、これらの変化及び改良の全ては、本考案の範囲内の保護を要求しうる。本考案は、実用新案登録請求の範囲と同等の効果物の範囲までが保護範囲であることを要求するものである。
【符号の説明】
【００１８】
１          つま革
２          靴底
３          第一取付溝
４          第一係合部
５          第一係接バネ
６          操作孔
７          ヒール
８          第一係接溝
９          第二取付溝
１０        第二係合部
１０１      間隔板
１０２      挿接板
１０３      操作柄
１１        第二係接バネ
１２        第二係接溝
１３        係合爪
１４        操作押ボタン
１５        第二押圧板
【図１】
0003203741.tif 000003
【図２】
0003203741.tif 000004
【図３】
0003203741.tif 000005
【図４】
0003203741.tif 000006